(57)【要約】【課題】立体パズルの小片から磁石の部分を簡単に取り外したり、取り付けたりできるようにし、外観形状を利用者が好み合わせて創作できる立体パズルを提供する。【解決手段】磁石吸着可能な球体３と、球体３の経方向に亘る区分位置と緯方向に亘る区分位置とに囲まれた領域に対応して球体３を覆うように配置されて、磁着した状態で球体３の周りを移動できるようにした複数個の木質小片２とからなる立体パズルであり、磁石４はプラスチック磁石であって、球体３側の片面が表面形状に対応した球面状板部５と、この球面状板部５の他方の片面から突出して木質小片２に穿設のボス穴６に挿入されて拡径可能とされたボス部７とからなり、ボス部７には該ボス部７をボス径方向に拡縮させる拡径手段１１が取り付けられ、木質小片２のボス穴６へ挿入して拡径手段１１で拡径されたボス部７を介して、磁石４を木質小片２に着脱可能に取り付けた。【選択図】図９
2016042888.tif 000002
【特許請求の範囲】
【請求項１】
磁石吸着可能な球体と、この球体の経方向に亘る区分位置と緯方向に亘る区分位置とに囲まれた領域に対応して球体を覆うように配置されている複数個の木質小片とからなり、前記木質小片それぞれは磁石を備えて前記球体に磁石吸着可能に設けられ、一つの区分位置を境にして一方の木質小片の組と他方の木質小片の組とが区分配置されたときの前記一方の木質小片の組が、前記一つの区分位置を含む平面に直交して球体の中心を通る中心線の位置を軸中心にして軸回転可能とされる立体パズルにおいて、
前記木質小片の球体側となる部分に、球体側の片面が球体の表面形状に対応した球面状の板部を備えるプラスチック磁石からなる磁石が着脱可能に取り付けられていることを特徴とする立体パズル。
【請求項２】
上記磁石は、該磁石に設けたねじ孔に通したねじであって木質小片に対するねじ込みと取り外しとができる螺着手段を介して木質小片に着脱可能に取り付けられ、前記磁石の木質小片側の面には、木質小片に係止して回転止めをする突起が突設されている請求項１に記載の立体パズル。
【請求項３】
上記磁石の板部の球体側とは反対となる片面には、木質小片に穿設のボス穴に挿入されて拡径可能とされたボス部が突設されていて、
前記ボス部には該ボス部をボス径方向に拡縮させる拡径手段が取り付けられ、木質小片のボス穴へ挿入して拡径手段で拡径されたボス部を介して、磁石が木質小片に着脱可能に取り付けられている請求項１に記載の立体パズル。
【発明の詳細な説明】
【技術分野】
【０００１】
本発明は立体パズル、特に複数個の小片がコアとなる球体の周りに集まるように組み合わされていて、隣り合う小片を組にして回転させることで球体の周りでの小片の配置を変化させることのできる立体パズルに関するものである。
【背景技術】
【０００２】
従来からこの種の立体パズルにおいては、コアの周りに複数の小片を配置し、隣り合う小片同士が組になってコアを通る中心線位置を回転軸として軸回転できるようにしたルービックキューブ（登録商標）と称される立方体パズルがある。この立体パズルではコアの経方向と緯方向とに小片を移動できるようにする機構が複雑なものとなっており、コアの部分から小片を取り外したり取り付けたりすることが困難である。そのため、全体形状を好みの形状にして外観に新しさを有する立体パズルを得ようとする場合、コアの部分からの小片の取り外しや取り付けができない前述の立方体パズルでの構造を採用することができない。
【０００３】
これに対して、コアと小片との両者が磁石吸着で引き合うようにして小片をコアの周りに配置させた立体パズルが提案されている。例えば、特許文献１や特許文献２に、コアとする球体とこの周りに配する小片との両者が磁力によって引き合うように構成し、前記小片が磁石の力により吸着した状態で球体の周りを移動できるようにした立体パズルが示されている。
【０００４】
また、非特許文献１において同様磁石吸着する金属からなる球体の周りに、その球体側の部分に磁石を固定してなる間伐材木製小片を磁石吸着力を利用して取り付けて配置し、小片が磁石吸着した状態で球体の周りを移動できる立体パズルが示されている。
【０００５】
このようにコアとなる部分に対して磁石吸着力を利用して小片が取り付けられる構成とすれば、立体パズルの遊技者自身で簡単に立体パズルの分解、組立が簡単に行なえるとともに、小片の素材を木質材とすることで小片それぞれの外側面の形状に変化を付け易く、新規な外観形状を有する立体パズルが容易に得られる。
【先行技術文献】
【特許文献】
【０００６】
【特許文献１】特許第５４６５８３３号公報
【特許文献２】国際公開第８２／０２３４０号パンフレット
【非特許文献】
【０００７】
【非特許文献１】高岡市デザイン・工芸センター、工芸都市高岡クラフトコンペティション、２００３年入賞作品、出品者児島宏嘉、インターネット（ｈｔｔｐ：／／ｗｗｗ．ｃｃｉｓ−ｔｏｙａｍａ．ｏｒ．ｊｐ／ｔａｋａｏｋａ／ｃｒａｆｔ／ｆｋｋ０３．ｈｔｍ）
【発明の概要】
【発明が解決しようとする課題】
【０００８】
ところで、立体パズルの小片は磁石を固定して用いる構造であるため、小片を取り替えて新たな小片を立体パズルに組み入れると、不要となった小片を磁石とともに処分しなければならない。例えば、立体パズルをデザインの創作授業で使用する教材とするような場合、間伐材木製品などの易加工素材からなる小片を用意しておくことで、生徒側は小片を好みの形状に加工して新規な外観形状の立体パズルを創作できる。
【０００９】
特に、このような創作授業に用いる立体パズルでは、外観形状に重きを置く創作の授業であるために立体パズル一個当たりの小片の数は少なく、限定されるものではないが上下、左右、前後に八分割し、一つの小片がコア（球体）に対応する面を比較的広い球面（凹面）形状としている。そして、この広い球面の部分を球体に対して磁石吸着させるに際し、凹面形状を備える広面の磁石（金属磁性体を焼き固めて磁化させた磁石）を多数個にして用意することが困難であるので、小型で強磁力の希土類磁石（例えば、ネオジウム磁石）を用いることが望ましい。
【００１０】
しかし、新たな形状の創作のためや創作した形状を変更するために小片を交換すると、使用済みの小片を処分することとなるが、磁石も一緒に破棄することになり、無駄で不経済な点も生じる。
【００１１】
また、磁石を再利用しようとした場合でも小片から磁石を取り外す作業が容易ではない。さらに新しい小片に磁石を取り付ける作業も、接着剤を用いて磁石を小片に接着固定するためにその作業が煩雑になるという不具合がある。
【００１２】
そこで、本発明は上記事情に鑑み、上記立体パズルの小片から磁石の部分を簡単に取り外したり、取り付けたりできるようにすることを課題とし、外観形状を利用者が好み合わせて創作できる立体パズルを提供することを目的とするものである。
【課題を解決するための手段】
【００１３】
（請求項１の発明）
本発明は上記課題を考慮してなされたもので、磁石吸着可能な球体と、この球体の経方向に亘る区分位置と緯方向に亘る区分位置とに囲まれた領域に対応して球体を覆うように配置されている複数個の木質小片とからなり、前記木質小片それぞれは磁石を備えて前記球体に磁石吸着可能に設けられ、一つの区分位置を境にして一方の木質小片の組と他方の木質小片の組とが区分配置されたときの前記一方の木質小片の組が、前記一つの区分位置を含む平面に直交して球体の中心を通る中心線の位置を軸中心にして軸回転可能とされる立体パズルにおいて、
前記木質小片の球体側となる部分に、球体側の片面が球体の表面形状に対応した球面状の板部を備えるプラスチック磁石からなる磁石が着脱可能に取り付けられていることを特徴とする立体パズルを提供して、上記課題を解消するものである。
【００１４】
（請求項２の発明）
そして、本発明では、上記磁石は、該磁石に設けたねじ孔に通したねじであって木質小片に対するねじ込みと取り外しとができる螺着手段を介して木質小片に着脱可能に取り付けられ、前記磁石の木質小片側の面には、木質小片に係止して回転止めをする突起が突設されているものとすることが良好である。
【００１５】
（請求項３の発明）
また、本発明は、上記磁石の板部の球体側とは反対となる片面には、木質小片に穿設のボス穴に挿入されて拡径可能とされたボス部が突設されていて、
前記ボス部には該ボス部をボス径方向に拡縮させる拡径手段が取り付けられ、木質小片のボス穴へ挿入して拡径手段で拡径されたボス部を介して、磁石が木質小片に着脱可能に取り付けられているものとすることが良好である。
【発明の効果】
【００１６】
（請求項１の発明の効果）
本発明によれば、木質小片に対してプラスチック磁石からなる磁石を着脱できるので、削りや塗装などの加工を加えた木質小片を未加工の木質小片に交換するときには、加工済みの木質小片から磁石を取り外して新たな未加工の木質小片に取り付けるようにすればよい。よって、磁石の部分が無駄にならずに経済的であるという効果を奏するものである。また、不必要となった木質小片を磁石とともに廃棄する場合であっても、木質部分と磁石とに分けることが容易であるため、ごみ種別に応じた分別処理が行なえるという優れた効果を奏する。
【００１７】
（請求項２の発明の効果）
また、請求項２の発明によれば、プラスチック磁石からなる磁石の形状自体が簡単であり、この磁石を安価なものとすることができるという効果を奏する。
【００１８】
（請求項３の発明の効果）
さらに請求項３の発明によれば、ボス部の拡縮にて磁石の木質小片に対する固定とその解除が行なえるので、磁石の着脱操作がスピーディになるという効果を奏する。
【図面の簡単な説明】
【００１９】
【図１】本発明に係る立体パズルの一例を斜め上方から見た状態で示す説明図である。
【図２】磁石が固定された木質小片を磁石側から見た状態で示す説明図である。
【図３】拡径手段を緩めた木質小片を磁石側から見た状態で示す説明図である。
【図４】磁石を外した木質小片を示す説明図である。
【図５】磁石の一例を示す説明図である。
【図６】同じく磁石の一例をボス部側から見た状態で示す説明図である。
【図７】拡径手段が取り付けられた拡径前の状態の磁石を示す説明図である。
【図８】木質小片において同じく拡径手段が取り付けられた拡径前の状態を断面で示す説明図である。
【図９】木質小片において拡径した状態を断面で示す説明図である。
【図１０】拡径したボス部を斜視の状態で示す説明図である。
【図１１】他の実施の例を断面で示す説明図である。
【図１２】テーパーナットとボルトを用いた他の例を断面で示す説明図である。
【図１３】テーパーナットとボルトを用いた他の例における拡径した状態を断面で示す説明図である。
【図１４】螺着手段を用いた例を断面で示す説明図である。
【発明を実施するための形態】
【００２０】
つぎに本発明を図示の実施の形態に基づいて詳細に説明する。図中１は外観形状を立方体とした立体パズルで、該立体パズル１は図１に示すように上下と左右と前後とのそれぞれに二個ずつにして並べられた八個の木質小片２と、この立体パズル１のコアとして中心に位置する一個の球体３とを備えてなるものである。
【００２１】
球体３は、磁石吸着可能な金属材料がから形成されたものであり、例えば表面をクロムメッキなどして磨かれた鉄球が利用できる。また、木質小片２それぞれは立体パズル１の中心の球体３の外表面に対応する部分を有していて、球体３の経（たて）方向に亘る位置であって球体の左右方向と前後方向とに廻る区分位置（本実施の形態においては、それぞれ球体中心を通って互いに直交する二方向の立平面が球体表面と交差する位置）と、緯（よこ）方向に亘る区分位置（本実施の形態においては球体高さ方向での中位位置であり、球体中心を通る水平面が球体表面と交差する位置）とに囲まれた領域に対応してこの球体３を覆うように配置されている。即ち、球体外表面を八つに区分したときの三角状の曲面形状を呈する領域のそれぞれに前記木質小片２が対応するようにして配置される。
【００２２】
本発明の立体パズル１は木質小片２を球体３の周りで動かして遊ぶこともできるものであり、隣り合う木質小片２同士がその間を境にしてすれ違いの移動が行ない易くなるように、隣り合う木質小片２の対向し合う側面は平坦面に形成している（図２参照）。そして、この立体パズル１は従来の立方体パズルでの遊び方と同様に、一つの区分位置を境にして一方の木質小片２の組（四個の木質小片）と他方の木質小片の組（四個の木質小片）とが区分配置されたときには、前記一方の木質小片２の組が、前記一つの区分位置を含む平面に直交して球体３の中心を通る中心線の位置を軸中心にして軸回転可能とされているものである。
【００２３】
上述したように球体３の周りにこの球体３を覆うようにして八個の木質小片２が配置され、球体３での一つの区分位置を境にして一方の四個の木質小片２の組が立体パズル１の中心を通る中心線の位置を軸中心にして軸回転できるようにしている点については、従来のものと同様である。この発明は、木質小片２を球体３に対して磁石吸着させるようにするため手段について以下のように工夫が図られている。
【００２４】
（磁石）
木質小片２それぞれには、球体３側となる部分に磁石４が設けられている（図２〜４参照）。なお、図面においては一つの木質小片２で前記磁石４が取り付けられている状態を示しているが、立体パズル１での木質小片２すべてが同じ構成となる。磁石４は、木質小片２を球体３に対して磁力により吸着させて付けたり外したりできるようにする役割をするものであり、磁石吸着している状態で球体３の外表面上を移動させることができるように設けされている。
【００２５】
また、磁石４は変形可能なプラスチック磁石からなるもので、球体３側の片面が表面形状に対応した球面状板部５と、この球面状板部５の他方の片面から突出して木質小片２に穿設したボス穴６に挿入されるボス部７とを備えている。図示されているようにボス部７はこのボス部７の突出方向に沿う方向にして複数のスリット８が入れられており、周方向に八つに割れた形態にして分割されており、ボス部７の外周面の分割部それぞれに突出方向に沿った凸条９が一体にして設けられている。
【００２６】
上述したようにボス部７は変形可能なプラスチック磁石の一部分であるとともに、スリット８により八つに分割されていることから、このボス部７の径方向で拡縮可能となっている。そして、ボス部７には図５、図６、図７に示されているように、上記球面状板部５の球体側からボス部７の突出方向に沿った中心線の位置を通るようにして貫通孔１０が形成されている。
【００２７】
上記貫通孔１０は、球体３側からボス部７の突端側に向けて先細りするように内径が徐々に小さくして形成されている（図８参照）。そして、この貫通孔１０に位置させた後述の拡径手段１１を、貫通孔１０に沿って移動するように操作することでボス部７が拡縮するものであり、貫通孔１０の小径側に向けて移動するように操作することで、ボス部７が径方向で拡径し、小径側にあった拡径手段１１が貫通孔１０の大径側に向けて移動するように操作されることで、ボス部７が径方向で縮径する。
【００２８】
ボス部７が拡縮可能に設けられているので、上記ボス穴６に拡径前のボス部７が挿入するようにして磁石４を木質小片２に配し、磁石４の球体側となる方向から拡径手段１１を操作することでボス部７を拡径されれば、ボス部６の外周部分がボス穴７の内周面に強固に押し付けられてそのボス穴７の内周面に食い込むこととなり、これによって磁石４が木質小片２に固定される。
【００２９】
上記拡径手段１１はネジプラグなどの単寸の雄ネジ部材からなるものであり、図８〜１０に示すようにボス部７の貫通孔１０における球体側の部分に位置した拡径手段１１をねじ込みしながら貫通孔１０の小径側に移動させれば、ボス部７が拡径して上述したようにボス穴６に嵌り込みし、磁石４が木質小片２に固定される。取り外しに際しては図２、図３、図４に示すように拡径手段１１を戻すように回転させればよく、ボス部７を縮径させてボス穴６から抜け出るようにする。拡径手段１１の回転操作はこの雄ネジ部材の片面に位置する角レンチ穴に角レンチを対応させて回すようにすればよい。
【００３０】
拡径手段１１として雄ネジ部材からなるものとし、これ角レンチなどの用具を利用して貫通孔１０に沿って進退させる例を挙げたが、これに限定されるものではない。図１１はその他の例を図示している。この図示の例では貫通孔１０がボス部突端側から球体側に向けて小径となる形成されているとともに、貫通孔１０の突端側にテーパーネジプラグからなる拡径手段１１を配置させている。そして、前記拡径手段１１を角レンチなどの用具を用いて貫通孔１０の球体側に移動させることでボス部７が拡径されるようにしている例である。
【００３１】
さらに図１２、図１３は、周面がテーパー状にしたナット部材を拡径手段１１とした例を示していて、この例では、上述と同様に貫通孔１０がボス部突端側から球体側に向けて小径となる形成して、貫通孔１０の突端側にテーパーナット部材からなる前記拡径手段１１を配置し、貫通孔１０の球体側から挿入するボルトを拡径手段１１に螺合させ、ボルト１２の締め付け操作をすることで拡径手段１１を球体側に移動させることでボス部７が拡径されるようにしているものである。また、スリットを有しないボス部７に非貫通のはめ込み穴を設け、このはめ込み穴に詰め部材からなる拡径手段１１を嵌脱させることでこのボス部７を拡縮させるようにすることも可能である。
【００３２】
（螺着手段）
上記実施の例は磁石４の球面状板部に設けたボス部を拡径手段の操作にて拡縮できるものとし、拡径したボス部が木質小片のボス穴の内面に食い込むことができるようにしたものであるが、本発明は、木質小片に直接的な係合する手段にて磁石が取り付けられるものとすることも可能である。
【００３３】
その例が図１４に示されていて、この例ではプラスチック磁石で成形されている磁石４は上記例でのボス部を有さずに球面状板部５からなるものである。そして、前記球面状板部５の中央にはねじ孔１３が開けられており、このねじ孔１３に、木質小片２にねじ込みができるとともに逆回しすることで木質小片２から取り外すことのできる螺着手段１４が通されている。
【００３４】
この螺着手段１４は具体的には木ねじであって、前記ねじ孔１３に通して木質小片２にねじ込んだ螺着手段１４を介して磁石４がこの木質小片２に取り付けられている。螺着手段１４はねじ回し用具を用いてねじ込まれるものであり、そのねじ回し用具にて緩み方向であるねじを戻す方向に回転させることで木質小片２から外れ、結果として磁石４が木質小片２から簡単に外れるようになる。
【００３５】
さらにこの例において、磁石４である球面状板部５の木質小片２側の面には、図示されているように木質小片２に食い込むようにして係止して木質小片２と磁石４との両者間で回転をしないようにする回転止めのための突起１５が突設されており、磁石４の木質小片２に対する取付状態がより安定するように図られている。
【符号の説明】
【００３６】
１…立体パズル
２…木質小片
３…球体
４…磁石
５…球面状板部
６…ボス穴
７…ボス部
８…スリット
９…凸条
１０…貫通孔
１１…拡径手段
１２…ボルト
１３…ねじ孔
１４…螺着手段
１５…突起
【図１】
2016042888.tif 000003
【図２】
2016042888.tif 000004
【図３】
2016042888.tif 000005
【図４】
2016042888.tif 000006
【図５】
2016042888.tif 000007
【図６】
2016042888.tif 000008
【図７】
2016042888.tif 000009
【図８】
2016042888.tif 000010
【図９】
2016042888.tif 000011
【図１０】
2016042888.tif 000012
【図１１】
2016042888.tif 000013
【図１２】
2016042888.tif 000014
【図１３】
2016042888.tif 000015
【図１４】
2016042888.tif 000016